(57)【特許請求の範囲】
【請求項１】
装置ケースの表面に光出口として設けられた面状光透過部と、当該装置ケースの内部において該面状光透過部の少なくとも一方の端部に、ケース幅方向に倒して設けられた全体照射用の第１指向性光源と、前記面状光透過部の表面及び裏面のいずれか一方に設けられた透光性の光調整部材と、前記装置ケースの内底面において前記光調整部材に対し間隔を空けて配置された反射部材と、前記装置ケースの内底面においてケース厚さ方向に立てて配置された部分照明用の第２指向性光源とを備え、
前記光調整部材は、前記第１指向性光源から入射した照射光を、該第１指向性光源の照射軸と直交する方向に拡散する拡散効果と、その入射側に折り返す反射効果とを有し、
全体照明の際には、前記反射部材の反射効果と前記光調整部材の反射効果との互いの光反射効果によって該第１指向性光源の光を前記面状光透過部の他端まで導く導光効果と、前記光調整部材の拡散効果との複合効果によって、前記面状光透過部を面全体に亘って光らせて照明を行い、部分照明の際には、該第２指向性光源の照射光を、前記反射部材の第１光透過孔と前記光調整部材の第２光透過孔とから外部に導いて照明を行うことを特徴とする照明装置。
【請求項２】
前記第１光透過孔には、表面からの光を反射可能で、かつ裏面からの光を透過可能な光反射透過部が、前記第１光透過孔を塞ぐように設けられていることを特徴とする請求項１に記載の照明装置。
【請求項３】
前記第１指向性光源は、互いに対向する向きをとって前記面状光透過部の両端部に配置されていることを特徴とする請求項１又は２に記載の照明装置。
【請求項４】
前記第１指向性光源は、複数の光源体から構成され、
前記面状光透過部の両端部において一方側に配置された前記第１指向性光源の各々の前記光源体と、それらと対向するもう一方側に配置された前記第１指向性光源の各々の前記光源体とは、その前記第１指向性光源の照射軸方向に対する直交方向において交互に配置されていることを特徴とする請求項３に記載の照明装置。
【請求項５】
照明装置の照明モードを、照明を行わないオフモードと、前記第１指向性光源のみを光源とする前記全体照明を行う第１照明モードと、第２指向性光源のみを光源とする前記部分照明を行う第２照明モードと、前記第１指向性光源及び第２指向性光源の両方を光源とする前記全体照明を行う第３照明モードとに切り換える照明状態切換手段を備えた
ことを特徴とする請求項１〜４のうちいずれか一項に記載の照明装置。
【請求項６】
前記第１指向性光源及び前記第２指向性光源からのそれぞれの照射光を調光する調光手段を備えた
ことを特徴とする請求項１〜５のうちいずれか一項に記載の照明装置。
【発明の詳細な説明】
【技術分野】
【０００１】
本発明は、全体照明及び部分照明のどちらか一方を選択的に実行可能な照明装置に関する。
【背景技術】
【０００２】
従来から周知のように、車内には、車内を一様に照らす照明灯具として例えば車内天井等にルームランプ（特許文献１等参照）が設けられている。ルームランプは、光源として例えば電球が使用されている。また、車内照明には、特定の狭い領域のみにスポット的に照明を当てたいニーズがある。よって、ルームランプ用の光源とスポットランプ用の光源とを１つの筐体内に一体に組み込んで、２状態の照明を可能とした照明装置が考案されている。
【０００３】
図１７に、車内照明及びスポット照明のどちらかで照明が可能な切換式の照明灯具８１を図示する。照明灯具８１の装置ケース８２内には、中央寄りの位置にルームランプ用光源として電球８３が配置されている。また、装置ケース８２内には、スポットランプ用光源として電球８３の両側に一対の高輝度ＬＥＤ８４，８４が配置されている。そして、照明灯具８１のスイッチが車内照明側に操作されると、電球８３が点灯して車内一帯が照明され、逆にスイッチがスポット照明側に操作されると、今度は高輝度ＬＥＤ８４，８４が点灯して特定領域のみがスポット照明される。
【先行技術文献】
【特許文献】
【０００４】
【特許文献１】特開２００８−１５０００８号公報
【発明の概要】
【発明が解決しようとする課題】
【０００５】
ところで、この種の切換式照明灯具８１は、電球８３と高輝度ＬＥＤ８４という種類の異なる２つの光源を持つものである。よって、装置ケース８２には、それぞれの光源に応じた部品を配置しなくはならないので、その分だけ装置ケース８２、即ち照明灯具８１が大型化してしまう問題があった。また、電球８３は淡い電球色で光るのに対し、高輝度ＬＥＤ８４は昼光色で光るので、それぞれの使用時に光の印象が異なる。よって、灯具としての統一感に欠け、インテリアデザインの面からも問題があった。
【０００６】
本発明の目的は、装置サイズを小型化することができるとともに、全体照明と部分照明とで光の印象に統一感を持たすことができる照明装置を提供することにある。
【課題を解決するための手段】
【０００７】
前記問題点を解決するために、本発明では、装置ケースの表面に光出口として設けられた面状光透過部と、当該装置ケースの内部において該面状光透過部の少なくとも一方の端部に、ケース幅方向に倒して設けられた全体照射用の第１指向性光源と、前記面状光透過部の表面及び裏面のいずれか一方に設けられた透光性の光調整部材と、前記装置ケースの内底面において前記光調整部材に対し間隔を空けて配置された反射部材と、前記装置ケースの内底面においてケース厚さ方向に立てて配置された部分照明用の第２指向性光源とを備え、前記光調整部材は、前記第１指向性光源から入射した照射光を、該第１指向性光源の照射軸と直交する方向に拡散する拡散効果と、その入射側に折り返す反射効果とを有し、全体照明の際には、前記反射部材の反射効果と前記光調整部材の反射効果との互いの光反射効果によって該第１指向性光源の光を前記面状光透過部の他端まで導く導光効果と、前記光調整部材の拡散効果との複合効果によって、前記面状光透過部を面全体に亘って光らせて照明を行い、部分照明の際には、該第２指向性光源の照射光を、前記反射部材の第１光透過孔と前記光調整部材の第２光透過孔とから外部に導いて照明を行うことを要旨とする。
【０００８】
この構成によれば、全体照明の光源と部分照明の光源とを、ともに指向性光源という同じ種類の光源とした。ところで、この種の指向性光源は部品サイズを小さく抑えられるという利点がある。よって、本構成のように、全体照明と部分照明との光源をともに指向性光源とすれば、例えばこれら照明光源の一方に電球を使用していた場合に比べて、その分だけ装置を小型化することが可能となる。また、全体照明時の照射光と部分照明時の照射光とで同じ種類の光が出されることになるので、照明の明かりに統一感を持たせることも可能となる。
【０００９】
また、全体照明時に第１指向性光源が点灯すると、この照射光の一部が光調整部材の拡散効果により指向性光源の照射軸に対して垂直に交わる直交方向に拡散されて、面状光透過部から外部に放射される。また、反射効果をも有する光調整部材と反射部材とを向き合わせて配置することにより生じる導光効果により、この２者間に通した照射光が、その照射方向（照射軸方向）に導かれるので、指向性光源の反射光の多くがケース反対側の端部にまで届くようになる。このため、全体照明として第１指向性光源を採用しても、同光源の光が面状光透過部（発光面）に広く行き渡って面発光するので、室内を広く照明することが可能となる。よって、全体照明の光源に第１指向性光源を使用しても、広範囲に明るい光を照射することが可能である。
【００１０】
ここで、「光源の照射軸」とは、光源からの配光（光束）分布の中心軸を言い、この照射軸上では、光源から等距離の位置において、単位面積当たりの光束量がおよそ最大となるような性質を有する。なお、この中心軸は、例えば、電球や砲弾型のＬＥＤにおける構造的（幾何学的）な対称軸を必ずしも意味するものではない。
【００１１】
本発明では、前記第１光透過孔には、表面からの光を反射可能で、かつ裏面からの光を透過可能な光反射透過部が、前記第１光透過孔を塞ぐように設けられていることを要旨とする。
【００１２】
この構成によれば、反射部材に第１光透過孔を形成しても、第１光透過孔を塞ぐ光反射透過部材によって、反射部材の全域に反射材を行き渡らせることが可能となる。このため、第１指向性光源を点灯させて全体照明を行う場合に、第２指向性光源の部分でも光を反射させることが可能となるので、全体照明を光ムラのない均一で明るい照明とすることが可能となる。
【００１３】
本発明では、前記第１指向性光源は、互いに対向する向きをとって前記面状光透過部の両端部に配置されていることを要旨とする。
この構成によれば、発光部の両端部に全体照明の光源を配置したので、発光部の両側をともに明るく照らし出すことが可能となる。このため、例えば光源の照射光の照射軸方向において片側のみが明るく、もう片側が暗くなってしまうような照明状態をとり難くすることが可能となる。
【００１４】
本発明では、前記第１指向性光源は、複数の光源体から構成され、前記面状光透過部の両端部において一方側に配置された前記第１指向性光源の各々の前記光源体と、それらと対向するもう一方側に配置された前記第１指向性光源の各々の前記光源体とは、その前記第１指向性光源の照射軸方向に対する直交方向において交互に配置されていることを要旨とする。
【００１５】
この構成によれば、面状光透過部の両端部において一方側に配置された複数の光源体の間が、これらと対向する位置に配置された光源体の光によって照明される。このため、面状光透過部の両端部の一方側に配置された隣同士の光源体の間が、対向する光源によって光が補われるので、照明装置をより均一に面発光させることが可能となる。
【００１６】
本発明では、照明装置の照明モードを、照明を行わないオフモードと、前記第１指向性光源のみを光源とする前記全体照明を行う第１照明モードと、第２指向性光源のみを光源とする前記部分照明を行う第２照明モードと、前記第１指向性光源及び第２指向性光源の両方を光源とする前記全体照明を行う第３照明モードとに切り換える照明状態切換手段を備えたことを要旨とする。
【００１７】
この構成によれば、これら複数モードでの照明が可能となるので、１つの照明装置において多様な形式で室内を照明することが可能となる。また、第１指向性光源と第２指向性光源とを両方灯す第３照明モードの場合には、２つの光源から光を照射するので、室内をより明るく照明することが可能となる。
【００１８】
本発明では、前記第１指向性光源及び前記第２指向性光源からのそれぞれの照射光を調光する調光手段を備えたことを要旨とする。
この構成によれば、第１指向性光源や第２指向性光源の光強度にばらつきがあっても、調光手段によって各光源の光量を制御することにより、全体として統一感のある光を照明することが可能となる。よって、演色性の高い照明光を照射することが可能となる。
【発明の効果】
【００１９】
本発明によれば、装置サイズを小型化することができるとともに、全体照明と部分照明とで光の印象に統一感を持たすことができる。
【図面の簡単な説明】
【００２０】
【図１】一実施形態における照明装置が設置された車内の外観を示す斜視図。
【図２】照明装置の外観を示す斜視図。
【図３】照明装置の具体的構成を示す分解斜視図。
【図４】照明装置の内部構造を示す縦断面図。
【図５】照明装置の光源であるＬＥＤの配置位置を示す模式図。
【図６】光拡散フィルムの外観を示す平面図及びその部分拡大図。
【図７】光拡散フィルムの表面形状を示す拡大斜視図。
【図８】照明装置の各種部品の配置関係を示す平面図。
【図９】照明装置の電気構成を示すブロック図。
【図１０】光拡散フィルムで光が拡散及び屈折する状態を示す説明図であり、（ａ）は入射角が臨界角よりも小さい場合、（ｂ）は入射角が臨界角よりも大きい場合、（ｃ）は入射が臨界角とほぼ同じ値をとる場合の説明図。
【図１１】照明装置が第１室内照明モードのときの状態を示す動作図。
【図１２】室内証明時に孔部分が暗く映り込まない原理を示す説明図。
【図１３】照明装置がスポット照明モードのときの状態を示す動作図。
【図１４】照明装置が第２室内照明モードのときの状態を示す動作図。
【図１５】別例における照明装置の一例を示す縦断面図。
【図１６】別例における照明装置の一例を示す縦断面図。
【図１７】従来における照明装置の構成を示す縦断面図。
【発明を実施するための形態】
【００２１】
以下、本発明を具体化した照明装置の一実施形態を図１〜図１４に従って説明する。
図１に示すように、車両１の車内天井には、車内を照明する灯具として照明灯具２が設けられている。この照明灯具２は、車内全体を照明する室内照明（全体照明）と、車内特定の狭い領域を部分的に照明するスポット照明（部分照明）との２パターンの照明が可能である。図１では、室内照明の照明領域を破線で図示し、スポット照明の照明領域を太線矢印で図示する。なお、照明灯具２が照明装置に相当する。
【００２２】
この照明灯具２には、照明灯具２の照明モードを切り換える際に操作するスライド式の操作スイッチ３が設けられている。この操作スイッチ３が各位置に操作されることにより、照明灯具２の照明モードが、消灯状態をとるオフモードや、照明態様が各々異なる各種動作モード（室内照明、スポット照明）に設定される。なお、通常の場合、車両ドア４が開操作されると、照明灯具２が室内照明状態となる。なお、操作スイッチ３が照明状態切換手段を構成する。
【００２３】
図３に示すように、照明灯具２には、照明灯具２の本体ケース５の基材部分として長四角平板形状をなしたベース部材６が設けられている。このベース部材６には、ベース部材６を上から閉じる上蓋としてカバー７が例えばネジ８により取り付け固定されている。カバー７におけるネジ８の取り付け先であるネジ取付部９は、カバー７の段差部１０に設けられ、この段差部１０にネジ用蓋１１を取り付けることにより、ネジ取付部９に螺着されたネジ８が外部に露出しないように意匠性が確保されている。なお、本体ケース５が装置ケースに相当する。
【００２４】
図２及び図３に示すように、カバー７には、その中央から反ネジ側端部までの一帯に亘り、本体ケース５の外壁であるカバー上壁を長四角形状に刳り抜くことにより開口部１２が形成されている。この開口部１２には、照明灯具２の光出口として平面形状（板形状）のレンズ１３が取り付けられている。本例の照明灯具２は、レンズ１３の表面全域から光を照射させる面発光によって周囲を照明する。レンズ１３は、ダイヤカット形状をとり、発光面の面全体が光るように面発光の均一化を補助する。レンズ１３は、自身の端縁に形成された複数の引掛部１４を、開口部１２の周縁に形成された対応する引掛穴１５に各々係止することにより、カバー７に組み付けられている。また、本例の照明灯具２は、カバー７側のみから光を照射する片面発光式となっている。なお、レンズ１３が面状光透過部に相当する。
【００２５】
図３、図４及び図５に示すように、ベース部材６において照明灯具２のケース幅方向（図３のＸ軸方向）の両端には、互いに向き合う位置状態で一対の光源ユニット１６が取り付けられている。これら光源ユニット１６は、照明灯具２の長手方向（図３のＹ軸方向）に沿って等間隔に配置された複数の室内照明用の室内照明ＬＥＤ１７，１７…（以降、室内照明ＬＥＤと記す）と、これら室内照明ＬＥＤ１７，１７…が実装された長細い板形状のＬＥＤ基板１８とからなる。なお、照明灯具２の光源としてＬＥＤ１７を使用するのは、ＬＥＤ１７には長寿命であるという利点があるため、光源交換等の作業の手間を省けるからである。また、ＬＥＤ基板１８の端部（図３の手前側端部）には、室内照明ＬＥＤ１７を電機接続するための一対の基板端子１９，１９（片側のみ図示）が設けられている。これら室内照明ＬＥＤ１７は、ケース幅方向に沿って倒し配置されている。なお、光源ユニット１６が第１指向性光源に相当し、室内照明ＬＥＤ１７が光源体に相当する。
【００２６】
これら光源ユニット１６，１６は、ベース部材６の幅方向両端部に折り曲げ形成された立設片２０，２０に、例えば接着テープ等によって各々縦向き（垂直方向）に取り付けられている。このため、室内照明ＬＥＤ１７は、レンズ１３の発光面に対して平行方向（以降、図５に示す発光方向Ｋｃと記す）に光を照射する。即ち、室内照明ＬＥＤ１７の照射軸は、レンズ１３の発光面に対して垂直な位置関係となる。なお、発光方向Ｋｃは、室内照明ＬＥＤ１７の照射軸をとることに加え、照明灯具２の長手方向に対して垂直方向をとることも含む。
【００２７】
また、本例の照明灯具２の照明構造は、幅方向端部から照射される室内照明ＬＥＤ１７の光を、照明灯具２のケース厚さ方向（図３のＺ軸方向）に導いてレンズ１３から照明光として引き出す方式である。室内照明ＬＥＤ１７に前述の配置位置をとらせるのは、室内照明ＬＥＤ１７自体がレンズ１３に映り込ませずに、点灯の見栄えをよくするためである。また、図５に示すように、室内照明ＬＥＤ１７は、照明灯具２のケース幅方向において一方の側に位置するものと、同じ幅方向においてもう一方の側に位置するものが、発光方向Ｋｃに対して垂直に交わる直交方向Ｋｈおいて互い違いに配置されている。なお、発光方向Ｋｃが照射軸方向に相当する。
【００２８】
また、ベース部材６の上面、即ち照明灯具２のケースで見ると内底面６ａには、表面に光反射作用を持つ薄板形状の反射板２１が、ある一定間隔を空けた状態で例えば接着テープ等により取り付け固定されている。この反射板２１は、対向する一対の光源ユニット１６の間に、ケース厚さ方向においてレンズ１３と所定距離を開けて配置されている。反射板２１は、室内照明ＬＥＤ１７からの照射光をレンズ１３側に反射させるために働くもので、例えばＰＥＴ（Poly Ethylene Terephthalate）により形成されている。内底面６ａには、一対の座部６ｂ，６ｂが設けられ、この座部６ｂ，６ｂに反射板２１が取り付け支持されている。なお、反射板２１が反射部材に相当する。
【００２９】
図３、図４、図６及び図７に示すように、レンズ１３の裏面には、入力光を集光して照射する働きを持つ光拡散フィルム２２が取り付けられている。光拡散フィルム２２は、例えばプリズムシートとも呼ばれるもので、薄い樹脂シート（樹脂フィルム）により形成されている。更に詳しく言うと、表面側（レンズ１３側）がアクリル系樹脂により形成されるとともに、裏面側（反射板２１側）がポリエステルフィルム層からなる２重構造をとっている。本例の光拡散フィルム２２は、反射板２１に対して所定間隔（隙間）を空けた状態で、図３に示すように、自身の周縁に形成された複数の係止舌片２３を、引掛穴１５，１５を連続して繋ぐ開口周縁の切込部２４に挿し込むことによりカバー７に取り付けられている。なお、光拡散フィルム２２が光調整部材に相当する。
【００３０】
図６及び図７に示すように、光拡散フィルム２２の表面には、フィルム幅方向（Ｘ軸方向）に沿って一帯に亘って延びる線の細い溝２５，２５…が、フィルム長さ方向（Ｙ軸方向）に沿って等間隔に並ぶ配置状態をとって複数形成されている。これら溝２５，…は、奥に向かうに従い深さ幅が連続的に小さくなる断面三角形状の穴形状をとり、所定の溝角度θ（例えば、６０度〜１２０度の間の角度）が付けられている。また、隣同士の溝間には、これら溝２５，２５を切ることによってできる断面三角形状の山部２６が複数形成されている。即ち、光拡散フィルム２２の表面には、断面三角形状の溝２５と山部２６が、フィルム長さ方向に沿って交互に形成された形状をとっている。光拡散フィルム２２は、裏面２２ａから取り込んだ光を、表面側に拡散出力するとともに裏面側に反射放出する。
【００３１】
図６に示すように、光拡散フィルム２２は、自身に切られた溝２５の延びる方向（同図の溝方向Ｍｃ）が室内照明ＬＥＤ１７の発光方向Ｋｃと平行方向をとる配置向きをとってカバー７に取り付けられている。更に、図４に示すように、反射板２１と光拡散フィルム２２との間には、所定間隔を空けて配置することにより空間領域が形成され、この空間領域が室内照明ＬＥＤ１７の照射光が通る光通過領域２７となっている。
【００３２】
図３、図４及び図８に示すように、本体ケース５の内底面６ａには、スポット照明時の光源としてスポット照明ＬＥＤ２８が取り付けられている。スポット照明ＬＥＤ２８は、室内照明ＬＥＤ１６と同じＬＥＤで構成されている。スポット照明ＬＥＤ２８は、レンズ１３の下方位置において、照明灯具２の長手方向、即ちケース長さ方向に沿って並んで一対配置されている。スポット照明ＬＥＤ２８は、本体ケース５の厚さ方向に沿って立てて配置され、反射板２１を介してレンズ１３及び光拡散フィルム２２に向けて光が照射される。なお、スポット照明ＬＥＤ２８が第２指向性光源に相当する。
【００３３】
この場合、反射板２１には、スポット照明ＬＥＤ２８の照射光の通路として反射板側光透過孔２９が複数貫設されている。これら一対の反射板側光透過孔２９，２９は、例えば円形状に形成されるとともに、照明灯具２の厚さ方向において各スポット照明ＬＥＤ２８，２８の真上に配置されている。なお、反射板側光透過孔２９が第１光透過孔に相当する。
【００３４】
また、光拡散フィルム２２にも、スポット照明ＬＥＤ２８の照射光の通路としてフィルム側光透過孔３０が複数貫設されている。フィルム側光透過孔３０，３０は、例えば円形状に形成されるとともに、照明灯具２の厚さ方向において各スポット照明ＬＥＤ２８，２８の真上に配置されている。スポット照明ＬＥＤ２８，２８が点灯すると、スポット照明ＬＥＤ２８，２８の光が反射板側光透過孔２９，２９及びフィルム側光透過孔３０，３０を通って外部に導かれ、スポット照明状態をとる。なお、フィルム側光透過孔３０が第２光透過孔に相当する。
【００３５】
図３に示すように、本体ケース５の内底面６ａには、照明灯具２の各種電装部品が実装された基板３１がテープ部材３１ａを介して取り付け固定されている。この基板３１には、操作スイッチ３がどの位置に操作されたのかを検出するスイッチ回路３２が実装されている。操作スイッチ３のスイッチ操作に応じてスイッチ回路３２の接点が切り換わると、照明灯具２の照明モードが各モードに設定される。
【００３６】
基板３１には、一対の光源ユニット１６，１６と基板３１とを接続する内部配線（図示略）の基板３１における接続箇所として内部配線接続回路３３が実装されている。また、基板３１には、照明灯具２の内部から外部に引き出される外部配線（図示略）の基板３１における接続箇所として外部配線接続回路３４が実装されている。更に、ベース部材６の底壁には、外部配線の引き出し孔として配線通し孔３５が貫設されている。この配線通し孔３５には、外部配線を取り付け固定するブッシング３６が取り付け可能となっている。
【００３７】
図９に示すように、照明灯具２には、照明灯具２の点灯消灯を制御するコントローラ３７が設けられている。コントローラ３７には、入力側に操作スイッチ３が接続されるとともに、出力側に室内照明ＬＥＤ１７及びスポット照明ＬＥＤ２８が接続されている。コントローラ３７は、操作スイッチ３から入力するスイッチ信号に基づき、室内照明ＬＥＤ１７及びスポット照明ＬＥＤ２８に流れる電流を制御することにより、照明灯具２の点灯消灯を切り換える。
【００３８】
コントローラ３７には、照明灯具２の動作モードを管理する点灯制御部３８が設けられている。点灯制御部３８は、操作スイッチ３の操作位置に応じて、照明灯具２の照明モードを各モードに設定する。例えば、照明モードとしては、照明灯具２を消灯させるオフモード、室内照明ＬＥＤ１７のみを点灯させて室内照明を行う第１室内照明モード、スポット照明ＬＥＤ２８のみを点灯させてスポット照明を行うスポット照明モードと、室内照明ＬＥＤ１７及びスポット照明ＬＥＤ２８の両方を点灯させて室内照明を行う第２室内照明モードの各モードがある。なお、点灯制御部３８が照明状態切換手段を構成する。
【００３９】
車内には、室内照明ＬＥＤ１７やスポット照明ＬＥＤ２８から光を調光する際に操作する回転操作式の操作ボリューム３９が設けられている。この操作ボリューム３９は、例えば室内照明ＬＥＤ１７及びスポット照明ＬＥＤ２８のそれぞれに設けられ、操作スイッチ３の近傍に配置される。また、操作ボリューム３９は、その操作量に応じた操作信号がコントローラ３７に出力される。そして、操作ボリューム３９を一方側に操作すると光強度が強くなり、操作ボリューム３９を他方側に操作すると光強度が弱くなる。
【００４０】
コントローラ３７には、操作ボリューム３９からの操作信号を基に、室内照明ＬＥＤ１７及びスポット照明ＬＥＤ２８を調光する調光制御部４０が設けられている。調光制御部４０は、操作ボリューム３９の操作量に応じた光強度に室内照明ＬＥＤ１７やスポット照明ＬＥＤ２８の光量を設定して、これらＬＥＤ１７，２８からの光を調光する。なお、操作ボリューム３９及び調光制御部４０が調光手段を構成する。
【００４１】
続いて、光拡散フィルム２２の光拡散及び光反射の原理を説明する。図１０に示すように、この種の光拡散フィルム２２において自身の裏面２２ａから入り込む入射光は、そのときの入射角によって、フィルム２２の境界面（図１０では境界面４１）における光の拡散成分（屈折光）や反射成分（反射光）が変わるという性質がある。ここで、屈折率が大きい媒質から小さい媒質に光が入るときに、入射光が境界面を透過せず、すべて反射する現象を全反射といい、入射角（境界面の垂線に対してなす角度）がある一定の角度以上の場合、全反射がおこる。この角度は、臨界角θｘとして知られている。光拡散フィルム２２から外面（空気中）側に光が進む場合は、屈折率が大きい媒質（光拡散フィルム２２）から小さい媒質（空気）に光が入る場合に相当するため、上述の全反射が生じる場合がある。
【００４２】
図１０（ａ）に示すように、境界面４１に照射される入射光は、この境界面４１の垂線Ｌａに対してなす角度を入射角とすると、臨界角θｘよりも小さな入射角α（θｘ＞α）をとる場合、この一部が溝２５の境界面４１から屈折して上側に屈折角α１の角度をもって抜け出る（光の拡散効果）とともに、入射光の一部が境界面４１において同じ入射角αで反射しつつ、この反射光がその照射先である向かい側の境界面４２で反射する。
【００４３】
また、図１０（ｂ）に示すように、境界面４１に対する入射光は、臨界角θｘよりも大きな入射角β（θｘ＜β）をとる場合、全てが溝２５の境界面４１で同じ入射角βで以て反射しつつ、この反射光がその照射先である向かい側の境界面４２に照射される。そして、この反射光が例えば臨界角θｘよりも小さい入射角β１で境界面４２に到達したとすると、この反射光は、この一部が溝２５の境界面４２から屈折して上側に屈折角β２の角度をもって抜け出るとともに、反射光の一部が境界面４２で同じβ１の角度で更に反射して、フィルム２２の内側に向かって反射される（光の反射効果）。
【００４４】
よって、光拡散フィルム２２の裏面２２ａから入射された入射光においてその一部は、この光の拡散効果によってフィルム表面から抜け出る光によって、光拡散フィルム２２の表側ではフィルム長さ方向に広がって見える。このため、本例では、図６に示すように、光拡散フィルム２２をカバー７に取り付けるに際して、ＬＥＤ１７の光の発光方向Ｋｃと光拡散フィルム２２の溝方向Ｍｃとを平行方向とすることで、ＬＥＤ１７の１本の照射光を光拡散フィルム２２により２本の照明光（図７参照）として映し出させている。これにより、光拡散フィルム２２の表面側において人の目に見える光の本数が多くなるので、レンズ１３の発光面をその長手方向（Ｙ軸方向）に広がらせることが可能となる。
【００４５】
一方、図１０（ｃ）に示すように、境界面４１に対する入射光は、臨界角θｘと同じ、あるいは僅かに大きい入射角γ（θｘ≦γ＜β）をとる場合、溝２５の境界面４１において同じ入射角γで全反射するとともに更に境界面４２でも全反射して、入射光の全成分がフィルム２２の裏面側に抜け出る特性（光の反射効果）がある。よって、本例の光拡散フィルム２２では、光の入射角が臨界角θｘよりも僅かに大きい場合には、透過光がなく、すべてが全反射することから、反射効率が非常に高いものであるといえる。
【００４６】
また、反射板２１と光拡散フィルム２２とを互いに向き合うように平行（水平）に配置することによって、反射板２１と光拡散フィルム２２との間に、光拡散フィルム２２で高反射率を以て反射される光を、これら両者の間で反射を繰り返させる光通過領域２７が形成される。このため、ＬＥＤ１７の照射光を遠くまで導く特性（光の導光効果）が得られる。よって、ＬＥＤ１７の光を照明灯具２のケース幅方向（Ｘ軸方向）においても広がらせることが可能となり、ＬＥＤ１７の反対側も明るく光らせることが可能となる。
【００４７】
図１１に示すように、照明灯具２が第１室内照明モードで点灯する場合には、室内照明ＬＥＤ１７，１７…のみが点灯状態をとる。このとき、反射板２１と光拡散フィルム２２との光の反射による導光効果と、光拡散フィルム２２の光の拡散効果とによって、レンズ１３の全域から光が照射される。よって、照明灯具２がほぼ均一に面発光する状態をとり、室内全体が明るく照明される。
【００４８】
ここで、スポット照明ＬＥＤ２８を点灯せず、室内照明ＬＥＤ１７のみを点灯させた際には、フィルム側光透過孔３０（反射板側光透過孔２９）の部分が陰になって、この部分のみが暗くなってしまう可能性がある。しかし、図１２に示すように、実際には反射板２１で様々な角度に反射した光がフィルム側光透過孔３０からも表面に出てきているため、光拡散フィルム２２の部分とフィルム側光透過孔３０の部分には見た目上の明るさの差異は生じない。また、レンズ１３を光が透過する際の屈折で外観上の差異は均質化される。
よって、レンズ１３が面発光する際、フィルム側光透過孔３０の部分が暗く映り込まず、均一な面発光が可能となる。
【００４９】
図１３に示すように、照明灯具２がスポット照明モードで点灯する場合には、スポット照明ＬＥＤ２８のみが点灯状態をとる。このとき、スポット照明ＬＥＤ２８からの照射光が、反射板側光透過孔２９及びフィルム側光透過孔３０を通過し、外部に照射される。スポット照明ＬＥＤ２８の光は、垂直に近い方向で光が出るので、ＬＥＤ独自の指向性の強い光として照射される。よって、スポット照明ＬＥＤ２８の光は入射角が小さいことから、光拡散フィルム２２で反射が起きず、ほぼ減衰することなく強い光として抜け出る。従って、スポット照明ＬＥＤ２８から照射される指向性のある光が、ある一部分に照射され、車内の所定領域のみが部分的に照明される。
【００５０】
図１４に示すように、照明灯具２が第２室内照明モードで点灯する場合には、室内照明ＬＥＤ１７及びスポット照明ＬＥＤ２８の両方が点灯状態をとる。このとき、室内照明ＬＥＤ１７及びスポット照明ＬＥＤ２８の両方を光源とする光が、レンズ１３を介して外部に照射されるので、室内照明ＬＥＤ１７を単独光源とする場合よりも明るい光が車内全体に行き渡る。また、室内照明ＬＥＤ１７とスポット照明ＬＥＤ２８とを同時点灯させても、これらはともに同じＬＥＤであるので、ともに色温度や色度、演色性などの特性をそろえることができ、結果として統一感のある発光を得ることも可能である。
【００５１】
なお、演色性とは、自然光（太陽光）を基準として、ある物体を照らしたときにどれだけ自然光に見えるのかを表す光源の性質を言う。日本では、光源の評価として平均演色評価数（Ｒａ）がよく使用される。
【００５２】
以上により、本例においては、室内照明の光源とスポット照明の光源とを、ともにＬＥＤとした。よって、室内照明の光源と、スポット照明の光源とを、ともにＬＥＤというサイズの小さい光源を利用することが可能となるので、その分だけ部品の配置スペースが小さく済み、結果として本体ケース５、ひいては照明灯具２を小型化することが可能となる。また、室内照明とスポット照明とでともにＬＥＤという同じ光を照射することが可能となるので、両方の照明の明かりに統一感を持たせることが可能となる。
【００５３】
ところで、本体ケース５の内底面６ａにスポット照明ＬＥＤ２８を配置すると、このＬＥＤ２８からの光を取り出すために、反射板２１をこのＬＥＤ配置箇所から省略しなければならない。こうなると、室内照明ＬＥＤ１７が点灯した際、反射板２１を設けることができない箇所では、室内照明ＬＥＤ１７からの光を反射させることができず、結果としてこの箇所が他の部位に比べて暗くなってしまう。しかし、本例の場合は、図１２にも示すように、フィルム側光透過孔３０からも反射板２１で様々な角度に反射した光が透過する事に加え、レンズ１３において光が透過する際に屈折が生じるため、フィルム側光透過孔３０の外観上の差異は均質化され、均一な面発光が確保される。
【００５４】
また、本例の場合、複数の細かい溝２５，２５…が規則正しく並ぶ光拡散フィルム２２を使用し、この光拡散フィルム２２が持つ光の拡散効果と、光拡散フィルム２２及び反射板２１を対向配置してこの間に光を通すことにより得られる導光効果とを利用して、ＬＥＤ１７の光を照明灯具２の長さ方向及び幅方向に広がらせて、レンズ１３を面発光させる。このため、エッジライト方式に沿う配置状態をとるＬＥＤ１７の光を、高価な導光板を使用せずに面発光させることが可能となる。
【００５５】
本実施形態の構成によれば、以下に記載の効果を得ることができる。
（１）室内照明の光源とスポット照明との光源をともにＬＥＤ（室内照明ＬＥＤ１７、スポット照明ＬＥＤ２８）としたので、これら照明の光源をＬＥＤという部品サイズの小さい光源とすることが可能となる。よって、光源サイズを小さく抑えられる分だけ、本体ケース５ひいては照明灯具２のサイズを小型化することができる。また、室内照明もスポット照明もともにＬＥＤ光という同じ種類の光が出射されるので、照明の明かりに統一感を持たせることもできる。
【００５６】
（２）照明灯具２にスポット照明機能を設けると、反射板２１や光拡散フィルム２２に孔（反射板側光透過孔２９、フィルム側光透過孔３０）を形成しなければならないので、室内照明時には、これら孔部分がレンズ１３に暗く映り込む懸念がある。しかし、本例の場合は、図１２に示すように、フィルム側光透過孔３０からも反射板２１で様々な角度に反射した光が透過する事に加え、レンズ１３において光が透過する際に屈折が生じるため、スポット照明用の孔が存在しても、室内照明をより均一な面発光とすることができる。
【００５７】
（３）照明灯具２を第２室内照明モードで点灯する場合、室内照明ＬＥＤ１７及びスポット照明ＬＥＤ２８の両方を光源として室内を照明するが、このときの２光源はともにＬＥＤであるの、２光源がともに同じ演色性となる。よって、２光源の光で室内照明を行う場合であっても、見た目に統一感のある照明とすることができる。
【００５８】
（４）照明灯具２の光源である室内照明ＬＥＤ１７を、ケース幅方向の両側に配置したので、照明灯具２の幅方向両側を、ともに明るく照らし出すことができる。このため、例えば照明灯具２の幅方向において片側のみが明るく、もう片側が暗くなってしまうような照明状態をとり難くすることができる。
【００５９】
（５）照明灯具２のケース幅方向において一方の側に位置する室内照明ＬＥＤ１７と、もう一方の側に位置する室内照明ＬＥＤ１７とが、室内照明ＬＥＤ１７の発光方向Ｋｃに対して垂直に交わる直交方向Ｋｈにおいて互い違いに配置される。このため、照明灯具２の幅方向において同じ側に位置する室内照明ＬＥＤ１７の隣同士の間の隙間が、対向する室内照明ＬＥＤ１７の光によって照明される。このため、この隙間の照明が補われるので、レンズ１３の面発光の均一化に効果が高くなる。
【００６０】
（６）照明灯具２の照明モードを、第１室内照明モードと第２室内照明モードとスポット照明モードとの３モードに設定可能としたので、多様なモードで室内を照明することができる。また、第２室内照明モードは、室内照明ＬＥＤ１７とスポット照明ＬＥＤ２８との２つを光源として照明するので、より明るい光で室内を照明することができる。
【００６１】
（７）室内照明ＬＥＤ１７とスポット照明ＬＥＤ２８との光量を、操作ボリューム３９によって調光可能としたので、室内照明ＬＥＤ１７とスポット照明ＬＥＤ２８との光強度を、それぞれ好適な値に合わせ込むことが可能となり、結果として演色性のよい照明に調整することができる。ところで、ＬＥＤには光強度にばらつきがあるので、全てが同じ演色性を有しているとしても、光強度に差があると、照明に統一感が無くなってしまうことになる。また、経年変化によっても自然に照度が低下する。これらの問題に対し、本例の場合は操作ボリューム３９を操作して各ＬＥＤ１７，２８の光強度を調整すれば、演色性のよい照明に光を合わせ込むことができる。また、省エネルギーの観点から、必要以上の明るさが必要とされないときには、操作ボリューム３９を絞って光量を落とすことも可能となるので、この点からも非常に効果が高いと言える。
【００６２】
（８）室内照明ＬＥＤ１７の照射光をレンズ１３で面発光させるための部品として、樹脂フィルムの表面上に溝２５，２５が切られた光拡散フィルム２２が使用される。このため、フィルムの表面形状に特徴を持たせるだけで済むこの種の部品により、導光部材を使用しなくてもレンズ１３の面発光が可能となるので、実施に際して大幅なコストアップを招くことがない。
【００６３】
（９）室内照明ＬＥＤ１７の照射光をレンズ１３で面発光させるための部品として、厚さの薄いシート形状の光拡散フィルム２２を使用したので、照明灯具２の厚さサイズを小さく済ますことができる。
【００６４】
なお、実施形態はこれまでに述べた構成に限らず、以下の態様に変更してもよい。
・図１５に示すように、反射板側光透過孔２９に、表側からの光を反射しつつも裏側からの光は透過する光反射透過部５１を設けて、反射板側光透過孔２９を塞いでもよい。この光反射透過部５１は、例えば光拡散フィルム２２を裏返した構造をとるとともに、反射板２１と一体形成されている。このように、反射板側光透過孔２９を光反射透過部５１で塞げば、反射板２１の全面で光を反射することが可能となるので、より均一な面発光を得ることができる。
【００６５】
・操作スイッチ３は、室内照明とスポット照明とで共用されることに限らず、室内照明用とスポット照明用とで別々に個別のスイッチが設けられてもよい。
・光調整部材としてシート材からなる光拡散フィルム２２を使用した場合、これは必ずしもプリズムシートに限定されず、例えば光拡散シートや集光シートを採用してもよい。また、光調整部材は、必ずしもこの種の樹脂シート材に限るものではなく、例えば樹脂板やガラスを使用してもよい。
【００６６】
・光調整部材は、必ずしも複数の規則正しく並んだ溝２５，２５を表面に持つものに限らず、光の拡散機能及び反射機能を持つものであれば、形状や材質は特に限定されない。
・光拡散フィルム２２は、表側がアクリル系樹脂で、裏面側がポリエステルフィルム層からなる２重構造をとるものに限定されず、１層の材質からなるものでもよい。また、２重構造をとる場合、これらの材質はアクリル及びポリエステルフィルムに限定されず、これら以外の材質を使用してもよい。
【００６７】
・照明灯具２は、例えば図１６に示すように、室内照明ＬＥＤ１７及びスポット照明ＬＥＤ２８の両方を備える単位機能を複数設けてもよい。この場合、照明灯具２が大型化する場合であっても、これに対応することができる。なお、この例においては、各単位効能で光拡散フィルム２２及び反射板２１が個別に設けられるものに限らず、複数の単位機能において１つの光拡散フィルム２２及び反射板２１が共用されるものでもよい。
【００６８】
・室内照明ＬＥＤ１７は、本体ケース５の幅方向両側に配置されることに限らず、一方のみに配置されるものでもよい。
・室内照明ＬＥＤ１７は、本体ケース５の幅方向において左右で互い違いに配置されることに限らず、同じ位置に並ぶものでもよい。
【００６９】
・第１指向性光源は、必ずしも室内照明ＬＥＤ１７を複数持つものに限らず、１つで高い輝度が得られる場合は、１つの室内照明ＬＥＤ１７から構成されるものでもよい。また、第２指向性光源も、必ずしもスポット照明ＬＥＤ２８を複数持つものに限らず、１つのスポット照明ＬＥＤ２８から構成されてもよい。
【００７０】
・第１指向性光源は、ＬＥＤ１７であることに限定されず、例えばライン型の光源としてアーパーチャー型冷陰極管などであってよい。また、同様に第２指向性光源もＬＥＤ２８であることに限定されず、他の光源を使用してもよい。
【００７１】
・レンズ１３は、必ずしも表面が平面になっているものに限らず、表面が若干の丸みを帯びた曲面形状をとっていてもよい。
・反射部材は、必ずしも板形状の反射板２１に限定されず、光を反射できるものであれば、その形状は特に限定されない。また、反射部材の材質も、樹脂であることに限定されるものではなく、光反射作用を持つもつものであれば、どのようなものを採用してもよい。
【００７２】
・スポット照明ＬＥＤ２８をケース厚さ方向に立てて配置する場合、これはケース幅方向において垂直向きをとることに限らず、若干の傾きを含むものとする。
・調光の操作手段は、ボリューム式に限らず、例えばボタンを押すごとに段階的に調光が変わる形式でもよい。
【００７３】
・照明灯具２は、必ずしも車両１の室内灯に使用されることに限らず、種々の灯具に応用可能であることは言うまでもない。
次に、上記実施形態及び別例から把握できる技術的思想について、それらの効果とともに以下に追記する。
【００７４】
（イ）請求項１〜６のいずれかにおいて、前記第１指向性光源の照射光を前記光調整部材又は前記反射部材によって前記面状光透過部から面発光させる機能単位を複数備える。この構成によれば、発光面積を大きく取った照明装置にも照明の光源として応用することが可能となる。
【００７５】
（ロ）請求項１〜６、前記技術的思想（イ）のいずれかにおいて、前記光調整部材の表面には、前記拡散効果及び前記反射効果を満たす部位として、互いに等間隔の距離をおいて平行に延びる複数の溝が形成され、前記光調整部材は、自身の該溝の溝方向と前記第１指向性光源の照射軸方向とが同方向をとる向きで前記装置ケースに取り付けられている。
【００７６】
この構成によれば、全体照明の際、溝の界面における光の屈折及び反射作用により、第１指向性光源から光調整部材に入射された光が、この光の照射方向（照射軸方向）に対して垂直に交わる直交方向に拡散するという拡散効果によって、光の直交方向に広がる。また、溝が隣同士のものと等間隔をおいて平行に延びるように規則正しく配置された場合、光が規則正しく反射して他端まで導かれるという導光効果により、第１指向性光源の照射光を光調整部材の溝方向に沿って遠くまで届かせられる。このため、第１指向性光源の光が照射方向及びその直交方向の両方向に広がるので、照明装置をより均一に面発光させることが可能となる。
【００７７】
（ハ）請求項１〜６、前記技術的思想（イ），（ロ）のいずれかにおいて、前記光調整部材は、幕形状をなしたシート材である。この構成によれば、光調整部材の厚さを薄くすることができるので、照明装置の厚さサイズを小さくすることが可能となる。
【符号の説明】
【００７８】
２…照明装置としての照明灯具、３…照明状態切換手段を構成する操作スイッチ、５…装置ケースとしての本体ケース、６ａ…内底面、１３…面状光透過部としてのレンズ、１６…第１指向性光源としての光源ユニット、１７…第１指向性光源における複数の光源体としての室内照明ＬＥＤ、２１…反射部材としての反射板、２２…光調整部材としての光拡散フィルム、２５…溝、２８…第２指向性光源としてのスポット照明ＬＥＤ、２９…第１光透過孔としての反射板側光透過部、３０…第２光透過孔としてのフィルム側光透過孔、３８…照明状態切換手段を構成する点灯制御部、３９…調光手段を構成する操作ボリューム、４０…調光手段を構成する調光制御部、５１…光反射透過部、Ｋｃ…照射軸方向としての発光方向、Ｋｈ…直交方向、Ｍｃ…溝方向。
【図１】
0005407839.tif 000002
【図２】
0005407839.tif 000003
【図３】
0005407839.tif 000004
【図４】
0005407839.tif 000005
【図５】
0005407839.tif 000006
【図６】
0005407839.tif 000007
【図７】
0005407839.tif 000008
【図８】
0005407839.tif 000009
【図９】
0005407839.tif 000010
【図１０】
0005407839.tif 000011
【図１１】
0005407839.tif 000012
【図１２】
0005407839.tif 000013
【図１３】
0005407839.tif 000014
【図１４】
0005407839.tif 000015
【図１５】
0005407839.tif 000016
【図１６】
0005407839.tif 000017
【図１７】
0005407839.tif 000018